(57)【特許請求の範囲】
【請求項１】
ハウジングの左右両端部に回転可能に支持された一対の鋸車と、一対の鋸車に張架された帯鋸と、ハウジングの左右中央上部に設けられたモータハウジング部内に設けられた電動モータと、前記電動モータに電力を供給するバッテリとを有しており、前記電動モータによって前記一対の鋸車を回転させ、ハウジングの左右中央手前側に形成された開口部を走行している前記帯鋸によって切断材を切断する携帯用バンドソーであって、
前記バッテリは、前記開口部の左右幅領域に相当する前記モータハウジング部の左右領域内位置に形成された取付部に取付けられていることを特徴とする携帯用バンドソー。
【請求項２】
請求項１に記載の携帯用バンドソーであって、
バッテリは、ハウジングに形成された開口部の左右幅長さよりも短く、かつ前記開口部の左右幅領域内に相当するモータハウジング部の左右領域内に取付けられていることを特徴とする携帯用バンドソー。
【請求項３】
請求項１または２に記載の携帯用バンドソーであって、
バッテリは、ハウジングに形成された開口部の上方領域を避けたモータハウジング部の上側部に取付けられており、かつ前記バッテリは、前記モータハウジング部から前記上方領域に張出していないことを特徴とする携帯用バンドソー。
【請求項４】
請求項１から３のいずれかに記載の携帯用バンドソーであって、
モータハウジング部の左右両側にグリップが設けられており、
前記モータハウジング部に取付けられるバッテリの手前奥中心位置と、前記両グリップの手前奥中心位置と、前記モータハウジング部の手前奥中心位置とが一致していることを特徴とする携帯用バンドソー。
【発明の詳細な説明】
【技術分野】
【０００１】
本発明は、携帯用バンドソーに関する。
【背景技術】
【０００２】
従来、様々な携帯用バンドソーが知られており、例えば特許文献１に記載の携帯用バンドソーが知られている。
特許文献１に記載の携帯用バンドソーは、ハウジングの左右両端部に回転可能に支持された一対の鋸車と、一対の鋸車に張架された帯鋸と、ハウジングの左右中央上部に設けられたモータハウジング部内に設けられた電動モータと、切断材と帯鋸の接点を照らすライトを有している。
【特許文献１】特開２００１−３００８１９号公報
【発明の開示】
【発明が解決しようとする課題】
【０００３】
ところが特許文献１には、電動モータに電力を供給する電源が開示されていなかった。予想するに携帯用バンドソーの電源は、外部電源あるいはバッテリである。外部電源が電源の場合には、外部電源の電力が電源コードを介して電動モータに供給される。バッテリが電源の場合には、バッテリがハウジング等に取付けられ、そのバッテリから電力が供給される。
バッテリを備える携帯用バンドソーは、携帯性に優れているが、バッテリの重さによって操作性が悪くなるなどの問題がある。
そこで本発明は、バッテリを備え、かつバッテリの重さを操作性に利用し得る携帯用バンドソーを提供することを課題とする。
【課題を解決するための手段】
【０００４】
前記課題を解決するために本発明は、各請求項に記載の通りの構成を備える携帯用バンドソーであることを特徴とする。
請求項１に記載の発明によると、携帯用バンドソーは、ハウジングの左右両端部に回転可能に支持された一対の鋸車と、一対の鋸車に張架された帯鋸と、ハウジングの左右中央上部に設けられたモータハウジング部内に設けられた電動モータと、電動モータに電力を供給するバッテリを有しており、電動モータによって一対の鋸車を回転させ、ハウジングの左右中央手前側に形成された開口部を走行している帯鋸によって切断材を切断する。そしてバッテリは、開口部の左右幅領域に相当するモータハウジング部の左右領域内位置に形成された取付部に取付けられている。
【０００５】
したがって携帯用バンドソーは、開口部を走行している帯鋸を切断材に押し付けることで、切断材を切断する。そしてバッテリは、開口部に相応する位置に取付けられている。そのためバッテリの重さは、開口部を走行している帯鋸に効率良く加えられる。そのためバッテリの重さを利用して切断材を切断することができ、携帯用バンドソーは、操作性に優れている。
【０００６】
請求項２に記載の発明によると、バッテリは、ハウジングに形成された開口部の左右幅長さよりも短く、かつ開口部の左右幅領域内に相当するモータハウジング部の左右領域内に取付けられている。
したがってバッテリが開口部に対応する領域内に位置しているために、バッテリの重さは、確実に開口部を走行している帯鋸に加えられ得る。そのためバッテリの重さを利用して切断材を容易に切断することができる。
【０００７】
請求項３に記載の発明によると、バッテリは、ハウジングに形成された開口部の上方領域を避けたモータハウジング部の上側部に取付けられており、かつバッテリは、モータハウジング部から前記上方領域に張出していない。
したがってバッテリに邪魔されることなく、開口部を上側から見ることができる。そのため作業者は、開口部を走行している帯鋸を見ながら、切断材を切断することができ、切断材を容易に切断することができる。
【０００８】
請求項４に記載の発明によると、モータハウジング部の左右両側にグリップが設けられており、モータハウジング部に取付けられるバッテリの手前奥中心位置と、両グリップの手前奥中心位置と、モータハウジング部の手前奥中心位置とが一致している。
したがって両グリップによって携帯用バンドソーを持上げた際に、携帯用バンドソーを手前奥方向のバランスを崩すことをなく持上げることができる。
【発明を実施するための最良の形態】
【０００９】
本発明の実施の形態に係る携帯用バンドソー１を図１〜５にしたがって説明する。
携帯用バンドソー（帯鋸装置）１は、図１に示すようにハウジング２と、ハウジング２の左右両端部に回転可能に取付けられた鋸車３，４と、鋸車３，４に張架された帯鋸５と、ハウジング２の左右中央部に設けられた電動モータ７とバッテリ６を有している。そしてハウジング２の右側上部には、メイングリップ１０が取付けられており、ハウジング２の左側上部には、サブグリップ１１が取付けられている。
【００１０】
ハウジング２は、図１に示すように左右両側部に第一殻体２ａと第二殻体２ｂを有しており、中央部にモータハウジング部２ｃを有している。
第一殻体２ａと第二殻体２ｂは、中空状である。第一殻体２ａ内には、図３に示すように軸部２０によって鋸車３が回転可能に取付けられている。第二殻体２ｂ内には、図４に示すように軸部２１によって鋸車４が回転可能に取付けられている。
【００１１】
第一殻体２ａと第二殻体２ｂは、図３，４に示すように使用状態において斜めになっている。すなわち第一殻体２ａと第二殻体２ｂは、図３，４に示すように奥側部が手前側部よりも上方になるように斜めになっている。
第一殻体２ａと第二殻体２ｂ内に設けられた鋸車３，４も同様に使用状態において斜めになっている。そして鋸車３，４の外周面に帯鋸５が張架されている。
【００１２】
帯鋸５は、金属製などであって、帯環状に形成されており、帯鋸５の下側縁には、鋸刃が形成されている。帯鋸５は、ハウジング２の外周に沿って回転し、図２，５に示すようにハウジング２の左右中央の手前側に形成された開口部２ｅによって、帯鋸５の一部が露出されている。
開口部２ｅによって露出された部分は、図２，３に示すように開口部２ｅの両脇に設けられたローラ１３によって角度が変えられており、使用状態において地面に対してほぼ垂直になっている。そのため切断材Ｗに対して帯鋸５が垂直に押し付けられる構成になっている。
【００１３】
第一殻体２ａと第二殻体２ｂの間には、図５に示すように連結管２ｇを有している。連結管２ｇは、第一殻体２ａの奥側部と第二殻体２ｂの奥側部とを連結し、帯鋸５が連結管２ｇ内に挿通されている。
【００１４】
モータハウジング部２ｃは、図１，３に示すようにハウジング２の左右中央に設けられており、第一殻体２ａと第二殻体２ｂの上側部において第一殻体２ａと第二殻体２ｂを架橋している。
モータハウジング部２ｃには、図２に示すように電動モータ７が内設されている。電動モータ７は、開口部２ｅの左右幅領域に相当するモータハウジング部２ｃの左右領域内位置に設けられている。
【００１５】
電動モータ７は、図２に示すようにモータハウジング部２ｃの長手方向に沿って延出しており、電動モータ７の回転軸は、左右方向に伸びている。
電動モータ７と鋸車３の間には、電動モータ７の動力を鋸車３に伝達する動力伝達機構８が設けられている。動力伝達機構８は、モータハウジング部２ｃおよび第一殻体２ａに内設された複数の歯車を主体に構成されている。
【００１６】
電動モータ７に電力を供給するバッテリ６は、図１，２に示すようにモータハウジング部２ｃの取付部２ｄに取付けられている。
取付部２ｄは、モータハウジング部２ｃの上側部であって、開口部２ｅの左右幅領域に相当する左右領域内位置に形成されている。具体的には、バッテリ６の中心部（重心）が、前記左右領域内位置になるように設定されている。
【００１７】
バッテリ６は、図１に示すように開口部２ｅの左右の幅長さよりも短い。そしてバッテリ６は、開口部２ｅの左右幅領域内に相当するモータハウジング部２ｃの左右領域内に取付けられている。
図５に示すようにバッテリ６は、開口部２ｅの上方領域を避けたモータハウジング部２ｃの上側部に取付けられている。そしてバッテリ６は、モータハウジング部２ｃから開口部２ｅの上方領域に張出していない。
【００１８】
バッテリ６は、図５に示すようにハウジング２の左右方向のほぼ中央位置で、かつ手前奥方向のほぼ中央位置（図５上下方向中央）に配設されている。したがってバッテリ６の重心位置は、左右中央位置でかつ手前奥中央位置になっている。
またバッテリ６は、メイングリップ１０とサブグリップ１１の間に配設されている。そしてメイングリップ１０とサブグリップ１１は、共にハウジング６又はモータハウジング部２ｃの手前奥方向のほぼ中心位置に設けられている。そのため携帯用バンドソー１をメイングリップ１０とサブグリップ１１によって持上げた場合に、携帯用バンドソー１のバランスがバッテリ６の重さによって崩れない。
またバッテリ６は、図２，５に示すようにモータハウジング部２ｃに取付けられることで、電動モータ７の回転軸の上方に位置する。
【００１９】
ハウジング２には、図１，５に示すようにバッテリ６を覆うバッテリカバー２ｆが取付けられている。
バッテリカバー２ｆは、バッテリ６と同様に、開口部２ｅの左右幅領域に相当するモータハウジング部２ｃの左右領域内位置に脱着可能に取付けられている。
またバッテリカバー２ｆは、開口部２ｅの上方領域を避けたモータハウジング部２ｃの上側部に取付けられており、かつモータハウジング部２ｃから開口部２ｅの上方領域に張出していない。
【００２０】
メイングリップ１０は、図１に示すように第一殻体２ａの右側端部とモータハウジング部２ｃの右側上部との間で延出している。したがってメイングリップ１０は、作業者が右手で把持し得る構成になっている。
メイングリップ１０には、図２に示すようにバッテリ６から電動モータ７への電力供給を入り切りするためのトリガスイッチ１２が設けられている。
【００２１】
サブグリップ１１は、図１，５に示すようにモータハウジング部２ｃの左端部から左方向に延出する一対の延出部１１ａと、一対の延出部１１ａの先端部間を連結しかつ円柱状の把持部１１ｂを一体に有している。したがってサブグリップ１１は、把持部１１ｂが左手によって把持される構成になっている。
【００２２】
携帯用バンドソー１によって切断材Ｗ（例えば管材）を切断する場合は、先ず右手でメイングリップ１０を把持し、左手でサブグリップ１１を把持する。そして両手で携帯用バンドソー１を持上げ、トリガスイッチ１２を押す。これにより電動モータ７がバッテリ６の電力によって駆動し、鋸車３，４と帯鋸５が電動モータ７によって回転する。
次に、携帯用バンドソー１を切断材Ｗの上方位置から切断材Ｗに向けて下ろす。そして開口部２ｅを走行している帯鋸５を切断材Ｗに押し付ける。これにより切断材Ｗを帯鋸５によって切断することができる。
【００２３】
以上のようにして携帯用バンドソー１が形成されている。
すなわち携帯用バンドソー１は、図１に示すようにバッテリ６を有しており、電動モータ７によって一対の鋸車３，４を回転させ、ハウジング２の左右中央手前側に形成された開口部２ｅを走行している帯鋸５によって切断材Ｗを切断する。そしてバッテリ６は、開口部２ｅの左右幅領域に相当するモータハウジング部２ｃの左右領域内位置に形成された取付部２ｄに取付けられている。
【００２４】
したがって携帯用バンドソー１は、開口部２ｅを走行している帯鋸５を切断材Ｗに押し付けることで、切断材Ｗを切断する。そしてバッテリ６は、開口部２ｅに相応する位置に取付けられている。そのためバッテリ６の重さは、開口部２ｅを走行している帯鋸５に効率良く加えられる。そのためバッテリ６の重さを利用して切断材Ｗを容易に切断することができ、携帯用バンドソー１は、操作性に優れている。
【００２５】
またバッテリ６は、図１に示すようにハウジング２に形成された開口部２ｅの左右幅長さよりも短く、かつ開口部２ｅの左右幅領域内に相当するモータハウジング部２ｃの左右領域内に取付けられている。
したがってバッテリ６が開口部に対応する領域内に位置しているために、バッテリ６の重さは、確実に開口部２ｅを走行している帯鋸５に加えられ得る。そのためバッテリ６の重さを利用して切断材Ｗを容易に切断することができる。
【００２６】
またバッテリ６は、図５に示すようにハウジング２に形成された開口部２ｅの上方領域を避けたモータハウジング部２ｃの上側部に取付けられており、かつモータハウジング部２ｃから上方領域に張出していない。
したがってバッテリ６に邪魔されることなく、開口部２ｅを上側から見ることができる。そのため作業者は、開口部２ｅを走行している帯鋸５を見ながら、切断材Ｗを切断することができ、切断材Ｗを容易に切断することができる。
【００２７】
また図１，５に示すようにモータハウジング部２ｃの左右両側には、グリップ（メイングリップ１０とサブグリップ１１）が設けられており、モータハウジング部に取付けられるバッテリ６の手前奥中心位置と、両グリップ（１０，１１）の手前奥中心位置と、モータハウジング部２ｃの手前奥中心位置とが一致している。
したがって両グリップ（１０，１１）によって携帯用バンドソー１を持上げた際に、携帯用バンドソー１を手前奥方向のバランスを崩すことをなく持上げることができる。
なおここで言う「一致」とは、携帯用バンドソー１を持上げた時に手前奥方向のバランスが崩れない程度に一致していることを意味している。
またメイングリップ１０とサブグリップ１１の手前奥方向の位置は、通常、モータハウジング部２ｃと一致させることでバランスをとっている。しかし製品によっては一致していない場合もあるが、こういった場合は、バッテリ６を含めた携帯用バンドソー１全体の手前奥方向の重心付近にメイングリップ１０とサブグリップ１１が配置するようにバッテリ６を位置させることが好ましい。
【００２８】
またバッテリ６は、図１に示すようにモータハウジング部２ｃの上側面に取付けられている。そのためバッテリ６は、モータハウジング部２ｃに対して容易に着脱され得る構成になっている。
【００２９】
（他の実施の形態）
本発明は、上記の実施の形態に限定されず、以下の形態などであっても良い。
（１）すなわち上記の実施の形態は、図１に示すようにバッテリ６を覆うバッテリカバー２ｆがモータハウジング部２ｃと別体に形成されていた。しかしバッテリカバーがモータハウジング部と一体に形成されており、そのバッテリカバー内にバッテリが設けられる形態であっても良い。
（２）上記の実施の形態は、図１に示すようにバッテリ６がモータハウジング部２ｃの上側部に取付けられていた。しかしバッテリが開口部の左右幅内に相当するモータハウジング部の左右領域位置でかつ手前側部または奥側部に形成された取付部に取付けられる形態であっても良い。
（３）また上記の実施の形態は、右手でトリガスイッチ１２を操作するのに適している携帯用バンドソーであった。しかし本形態と左右対称の形態であって、左手でトリガスイッチを操作するのに好適な携帯用バンドソーであっても良い。
【図面の簡単な説明】
【００３０】
【図１】使用状態における携帯用バンドソーの正面図である。
【図２】携帯用バンドソーの一部断面正面図である。
【図３】図１の矢印III方向からの携帯用バンドソーの右側面図である。
【図４】図１の矢印IV方向からの携帯用バンドソーの左側面図である。
【図５】図１の矢印V方向からの携帯用バンドソーの上面図である。
【符号の説明】
【００３１】
１…携帯用バンドソー
２…ハウジング
２ａ…第一殻体
２ｂ…第二殻体
２ｃ…モータハウジング部
２ｄ…取付部
２ｅ…開口部
２ｆ…バッテリカバー
２ｇ…連結管
３，４…鋸車
５…帯鋸
６…バッテリ
７…電動モータ
８…動力伝達機構
１０…メイングリップ（グリップ）
１１…サブグリップ（グリップ）
【図１】
0004549960.tif 000002
【図２】
0004549960.tif 000003
【図３】
0004549960.tif 000004
【図４】
0004549960.tif 000005
【図５】
0004549960.tif 000006